【手続補正書】
【提出日】平成19年4月9日(2007.4.9)
【手続補正１】
【補正対象書類名】明細書
【補正対象項目名】０１８４
【補正方法】変更
【補正の内容】
【０１８４】
以上のような図１５の付帯コンテンツ特徴情報生成処理の繰り返しにより生成された1以上の付帯コンテンツ特徴情報が付帯コンテンツメタ情報記憶部４に蓄積された後、ユーザが新たなメインコンテンツを使用中にまたはその前後に、ユーザ使用付帯コンテンツ決定処理が実行される。
【手続補正２】
【補正対象書類名】明細書
【補正対象項目名】０２５４
【補正方法】変更
【補正の内容】
【０２５４】
従って、関連性情報生成部１３２は、メインコンテンツメタ情報、コンテクスト情報、および、ユーザ使用済み付帯コンテンツを適宜参照しながら、ユーザ使用済みメインコンテンツ、ユーザ使用済み付帯コンテンツ、および、ユーザのコンテクストといた３者のうちの任意の２者の関連性を示す関連性情報、または、それらの３者のそれぞれの関連性をまとめて示す関連性情報を適宜生成し、関連性情報記憶部１１７に記憶する。
【手続補正３】
【補正対象書類名】明細書
【補正対象項目名】０２７０
【補正方法】変更
【補正の内容】
【０２７０】
ステップＳ１１２において、関連性情報生成部１３２は、取得されたメタ情報に基づいて、ユーザ使用済みメインコンテンツの特徴を示す特徴情報を生成する。特徴情報の具体例については後述する。
【手続補正４】
【補正対象書類名】明細書
【補正対象項目名】０２７１
【補正方法】変更
【補正の内容】
【０２７１】
ステップＳ１１３において、関連性情報生成部１３２は、コンテクスト情報取得部１１５から供給される、ユーザ使用済みメインコンテンツを使用していた時点のユーザのコンテクストを示すコンテクスト情報を取得する。
【手続補正５】
【補正対象書類名】明細書
【補正対象項目名】０２７２
【補正方法】変更
【補正の内容】
【０２７２】
ステップＳ１１４において、関連性情報生成部１３２は、ステップＳ１１２の処理で生成されたユーザ使用済みメインコンテンツの特徴情報と、ステップＳ１１３の処理で取得されたコンテクスト情報とを関連付けた情報（それらの２つの情報を共に含有する情報）を、メインコンテンツと、それを使用した時点のユーザのコンテクストとの関連性を示す関連性情報として生成する。
【手続補正６】
【補正対象書類名】明細書
【補正対象項目名】０２７３
【補正方法】変更
【補正の内容】
【０２７３】
ステップＳ１１５において、関連性情報生成部１３２は、ステップＳ１１４の処理で生成された関連性情報を関連性情報記憶部１１７に記憶させる。
【手続補正７】
【補正対象書類名】明細書
【補正対象項目名】０２９３
【補正方法】変更
【補正の内容】
【０２９３】
ステップＳ１２１において、図２１の関連性情報生成部１３２は、コンテクスト情報取得部１１５から供給される、ユーザ使用済み付帯コンテンツを使用していた時点のユーザのコンテクストを示すコンテクスト情報を取得する。
【手続補正８】
【補正対象書類名】明細書
【補正対象項目名】０２９４
【補正方法】変更
【補正の内容】
【０２９４】
ステップＳ１２２において、関連性情報生成部１３２は、付帯コンテンツを示す情報と、ステップＳ１２１の処理で取得されたコンテクスト情報とを関連付けた情報（それらの２つの情報を共に含有する情報）を、付帯コンテンツと、それを使用した時点のユーザのコンテクストとの関連性を示す関連性情報として生成する。
【手続補正９】
【補正対象書類名】明細書
【補正対象項目名】０２９５
【補正方法】変更
【補正の内容】
【０２９５】
ステップＳ１２３において、関連性情報生成部１３２は、ステップＳ１２２の処理で生
成された関連性情報を関連性情報記憶部１１７に記憶させる。
【手続補正１０】
【補正対象書類名】明細書
【補正対象項目名】０３０８
【補正方法】変更
【補正の内容】
【０３０８】
スイッチ１２２がオフ状態の場合、ステップＳ１３５において、メインコンテンツの使用が指示されていないと判定されて、処理はステップＳ１３５に戻されて、メインコンテンツの使用が指示されたか否かが再度判定される。即ち、スイッチ１２２がオン状態に切り替えられるまで、ステップＳ１３５の処理が繰り返し実行される。
【手続補正１１】
【補正対象書類名】明細書
【補正対象項目名】０３１１
【補正方法】変更
【補正の内容】
【０３１１】
すると、メインコンテンツ受信部１１８は、ステップＳ１３５において、メインコンテンツの使用がユーザにより指示されたと判定し、ステップＳ１３６において、メインコンテンツを出力する。即ち、ステップＳ１３６において、いまの場合、メインコンテンツであるメール文章が、画像として表示装置等に表示される。
【手続補正１２】
【補正対象書類名】明細書
【補正対象項目名】０３６２
【補正方法】変更
【補正の内容】
【０３６２】
対応付帯コンテンツ取得部１５４は、類似メインコンテンツ選定部１５３から供給された特徴情報を含む関連性情報を関連性情報記憶部１１７から取得する。ただし、ここでは、例えば、ユーザ使用済み付帯コンテンツと、ユーザ使用済みメインコンテンツとの関連性を示す関連性情報（例えば、上述した図５の関連性情報CI1,CI2,CI3）が取得されるとする。そして、対応付帯コンテンツ取得部１５４は、取得された関連性情報に含まれる情報が示す（その情報で特定される）付帯コンテンツを付帯コンテンツ記憶部１２０から取得し、ユーザ使用付帯コンテンツとして出力する。
【手続補正１３】
【補正対象書類名】明細書
【補正対象項目名】０３６７
【補正方法】変更
【補正の内容】
【０３６７】
対応付帯コンテンツ取得部１５４は、マッチング部１５２から供給された関連性情報に含まれる情報が示す（その情報で特定される）付帯コンテンツを付帯コンテンツ記憶部１２０から取得し、ユーザ使用付帯コンテンツとして出力する。
【手続補正１４】
【補正対象書類名】明細書
【補正対象項目名】０３７０
【補正方法】変更
【補正の内容】
【０３７０】
例えば、いま、上述した図２９のステップＳ１３１の処理で、図２０のメインコンテンツ受信部１１８に、コンテクスト情報が付加されたメール文章が受信され、上述したように、図２０のコンテンツ送受信装置１０１の動作モードが付帯コンテンツ自動出力モードである場合、即ち、図２９のステップＳ１３２において、付帯コンテンツ自動出力モードであると判定された場合、処理はステップＳ１３３に進む。
【手続補正１５】
【補正対象書類名】明細書
【補正対象項目名】０３９９
【補正方法】変更
【補正の内容】
【０３９９】
このようなプログラムを含む記録媒体は、図３４に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）５１１により構成されるだけでなく、装置本体に予め組み込まれた状態でユーザに提供される、プログラムが記録されているROM２０２や、記憶部２０８に含まれるハードディスクなどで構成される。
【手続補正１６】
【補正対象書類名】明細書
【補正対象項目名】０４０２
【補正方法】変更
【補正の内容】
【０４０２】
【図１】本実施の形態の情報処理装置の機能的構成例を示すブロック図である。
【図２】図１の履歴処理部の機能的構成例を示すブロック図である。
【図３】図１のユーザ使用付帯コンテンツ決定部の機能的構成例を示すブロック図である。
【図４】図１の情報処理装置が実行する関連性情報生成処理を説明するフローチャートである。
【図５】図４の関連性情報生成処理で生成される関連性情報の一例を示す図である。
【図６】図１の情報処理装置が実行するユーザ使用付帯コンテンツ決定処理を説明するフローチャートである。
【図７】ユーザ使用メインコンテンツの特徴ベクトルの例を示す図である。
【図８】図７の特徴ベクトルとの類似度を演算するために生成される行列Ａの例を示す図である。
【図９】図７の特徴ベクトルと図８の行列Ａの列成分である特徴ベクトルの類似度の演算結果を示す図である。
【図１０】図４の関連性情報生成処理で使用される関連性情報の一例を示す図である。
【図１１】ユーザ使用メインコンテンツの特徴ベクトルの例を示す図である。
【図１２】図１１の特徴ベクトルとの類似度を演算するために生成される行列Ｃの例を示す図である。
【図１３】図１１の特徴ベクトルと図１２の行列Ｃの列成分である特徴ベクトルの類似度の演算結果を示す図である。
【図１４】図１１の特徴ベクトルと図１２の行列Ｃの列成分である特徴ベクトルとのコンテクスト情報を０とした場合の類似度の演算結果を示す図である。
【図１５】図１の情報処理装置が実行する付帯コンテンツ特徴情報生成処理例を説明するフローチャートである。
【図１６】図１の情報処理装置が実行するユーザ使用付帯コンテンツ決定処理例を説明するフローチャートである。
【図１７】図１の情報処理装置が実行する関連性情報更新処理例を説明するフローチャートである。
【図１８】図１の情報処理装置が実行する関連性情報更新処理（学習処理）例を説明するフローチャートである。
【図１９】本発明が適用される情報処理システムの構成例を示すブロック図である。
【図２０】図１９のコンテンツ送受信装置の機能的構成例を示すブロック図である。
【図２１】図２０の履歴処理部の機能的構成例の詳細を示すブロック図である。
【図２２】図２０のユーザ使用付帯コンテンツ決定部の機能的構成例の詳細を示すブロック図である。
【図２３】図２０のコンテンツ送受信装置が実行する送信処理例を説明するフローチャートである。
【図２４】図２３の関連性情報生成処理の詳細例を説明するフローチャートである。
【図２５】図２４の関連性情報生成処理で利用されるメインコンテンツの特徴の一例を示す図である。
【図２６】図２５のメインコンテンツに対して図２４の関連性情報生成処理が実行された結果生成される関連性情報の一例を示す図である。
【図２７】図２３の関連性情報生成処理の詳細例を説明するフローチャートである。
【図２８】図２５のメインコンテンツに対して図２７の関連性情報生成処理が実行された結果生成される関連性情報の一例を示す図である。
【図２９】図２０のコンテンツ送受信装置が実行する受信処理例を説明するフローチャートである。
【図３０】図２９の付帯コンテンツ決定処理の詳細例を説明するフローチャートである。
【図３１】図３０の付帯コンテンツ決定処理で使用される受信メインコンテンツ（メール文章）の例を示す図である。
【図３２】図２０のユーザ使用付帯コンテンツ決定部の機能的構成の詳細例を示すブロック図である。
【図３３】図２９の付帯コンテンツ決定処理の詳細例を説明するフローチャートである。
【図３４】本発明が適用される情報処理装置のハードウエアの構成例を示すブロック図である。